(57)【要約】  【課題】スタッキング可能に構成されたイスにおいて、ハンガーとして機能する部分を設けつつ、従来よりもスタッキング状態におけるコンパクト化を実現する。  【解決手段】背もたれ２０を有し、スタッキング可能に構成されたイス１であって、ハンガーとして機能するハンガー部材５０が背もたれ２０に設けられており、ハンガー部材５０は、少なくとも正面視で背もたれ２０の上方において該背もたれ２０と重ならないオフセットされた位置に設けられている。【選択図】図１
2015198775.tif 000002
【特許請求の範囲】
【請求項１】
背もたれを有し、スタッキング可能に構成されたイスであって、
ハンガーとして機能するハンガー部材が前記背もたれに設けられており、
前記ハンガー部材は、少なくとも正面視で前記背もたれの上方において該背もたれと重ならないオフセットされた位置に設けられている
ことを特徴とするイス。
【請求項２】
前記ハンガー部材は、前記背もたれ上端から後方に向けて延出するオフセット片と、前記オフセット片の上方において左右方向に拡がるハンガー本体と、を備え、正面視で前記背もたれの上方および平面視で前記背もたれの後方それぞれにおいて該背もたれと重ならないオフセットされた位置に設けられている
ことを特徴とする請求項１に記載のイス。
【請求項３】
前記ハンガー部材は、前記背もたれ上端から延出するオフセット片と、前記オフセット片の上方において左右方向に拡がるとともに、該左右方向の端部側それぞれが前記背もたれとの間に平面視で前後方向の隙間を形成しているハンガー本体と、を備え、正面視で前記背もたれの上方および平面視で前記背もたれの後方それぞれにおいて該背もたれと重ならないオフセットされた位置に設けられている
ことを特徴とする請求項１に記載のイス。
【請求項４】
前記ハンガー本体および前記背もたれは、それぞれ平面視で後方に向けて凸となる円弧状に形成されており、前記ハンガー本体における平面視での円弧の半径が、前記背もたれにおける平面視での円弧の半径よりも大きくなるように構成されている
ことを特徴とする請求項２または請求項３に記載のイス。
【請求項５】
前記オフセット片は、正面視での前記ハンガー本体と前記背もたれとの間に上下方向の隙間が形成される位置まで前記ハンガー本体を上方にオフセットしており、
前記ハンガー本体と前記背もたれとの上下方向の隙間は、それぞれ左右端部ほど広くなるように構成されている
ことを特徴とする請求項２から４のいずれかに記載のイス。
【請求項６】
前記ハンガー本体および前記背もたれは、左右端部へ向かうほど正面視での前記ハンガー本体の下端および前記背もたれの上端のうち一方が他方から離れる形状とされている
ことを特徴とする請求項５に記載のイス。
【請求項７】
前記背もたれおよび前記ハンガー部材は、一体の部材として成形されている
ことを特徴とする請求項１から６のいずれかに記載のイス。
【請求項８】
スタッキング可能に構成されたイスにおける背もたれに、ハンガーとして機能させるべく設けられたハンガー部材であって、
少なくとも正面視で前記背もたれの上方において該背もたれと重ならないオフセットされた位置に設けられている
ことを特徴とするハンガー部材。
【発明の詳細な説明】
【技術分野】
【０００１】
本発明は、背もたれを有し、スタッキング可能に構成されたイスに関する。
【背景技術】
【０００２】
従来から、ホールなどで使用するイスとして、未使用時に収容スペースを小さくすべく、座面を上下方向に重ねて収容可能、いわゆるスタッキング可能に構成されたものが知られている。
【０００３】
この種のイスでは、着席者が上着など衣類を脱いで着席した場合にこの衣類が邪魔にならないよう、ハンガーとして機能する部材を設けることも考えられるが、上述した収容スペースの観点からは、ハンガー部材が設けられていてもスタッキング時のコンパクト化を大きく損なうことは望ましくない。このような要請に応えるべく、近年では、スタッキング状態で隣接するイスの背もたれとの間に形成される前後空間に収まるよう、背もたれの後方面にハンガー部材を設けたイスが提案されている（特許文献１参照）。
【先行技術文献】
【特許文献】
【０００４】
【特許文献１】特開２０１４−１４５１９号
【発明の概要】
【発明が解決しようとする課題】
【０００５】
しかし、上述した先行技術では、スタッキング状態で隣接するイスとの間に前後方向の空間を確保できる構成とする必要があるため、この空間を狭めることができず、結果、スタッキング状態におけるコンパクト化が十分に実現できないという問題があった。
【０００６】
本願発明は、このような課題を解決するためになされたものであり、その目的は、スタッキング可能に構成されたイスにおいて、ハンガーとして機能する部材を設けつつ、従来よりもスタッキング状態におけるコンパクト化を実現することである。
【課題を解決するための手段】
【０００７】
上記課題を解決するため第１の構成（請求項１）は、背もたれを有し、スタッキング可能に構成されたイスであって、ハンガーとして機能するハンガー部材が前記背もたれに設けられており、前記ハンガー部材は、少なくとも正面視で前記背もたれの上方において該背もたれと重ならないオフセットされた位置に設けられている。
【０００８】
このように構成されたイスであれば、ハンガー部材が背もたれに対して上方にオフセットされており、スタッキング状態で隣接するイスの背もたれにハンガー部材が接触することはないため、隣接するイスの背もたれとの間を狭めたスタッキングを実現することができ、これにより、スタッキング状態におけるコンパクト化が実現できる。
【０００９】
ここで、複数のイスをスタッキングするに際しては、下層のイスから上層のイスに向けて順に上方へと一定間隔（スタッキングピッチ）だけズレながら重なることになるが、各イスのハンガー部材は、背もたれの上方の領域において同様に重なるため、これがスタッキングの妨げになることはない。
【００１０】
この構成は、以下に示す第２,第３の構成（請求項２,３）とすることが考えられる。
【００１１】
第２の構成において、前記ハンガー部材は、前記背もたれ上端から後方に向けて延出するオフセット片と、前記オフセット片の上方において左右方向に拡がるハンガー本体と、を備え、正面視で前記背もたれの上方および平面視で前記背もたれの後方それぞれにおいて該背もたれと重ならないオフセットされた位置に設けられている。
【００１２】
第３の構成において、前記ハンガー部材は、前記背もたれ上端から延出するオフセット片と、前記オフセット片の上方において左右方向に拡がるとともに、該左右方向の端部側それぞれが前記背もたれとの間に平面視で前後方向の隙間を形成しているハンガー本体と、を備え、正面視で前記背もたれの上方および平面視で前記背もたれの後方それぞれにおいて該背もたれと重ならないオフセットされた位置に設けられている。
【００１３】
これら構成に係るイスであれば、ハンガー本体をオフセット片でオフセットさせることにより、正面視で背もたれの上方において、ハンガー本体が背もたれと重ならない位置関係とすることができる。
【００１４】
さらに、上記第２の構成であれば、ハンガー本体が背もたれの上方および後方にオフセットされており、このハンガー本体に衣類を掛ける際に衣類が背もたれに接触しにくいため、ハンガーとしての利便性が高い。
【００１５】
また、上記第３の構成であれば、平面視でのハンガー本体と背もたれとの間に前後方向の隙間が形成されており、このハンガー本体に衣類を掛ける際に衣類が背もたれに接触しにくいため、ハンガーとしての利便性が高い。
【００１６】
また、この構成では、より利便性を向上させるべく以下に示す第４の構成（請求項４）のようにすることも考えられる。
【００１７】
第４の構成において、前記ハンガー本体および前記背もたれは、それぞれ平面視で後方に向けて凸となる円弧状に形成されており、前記ハンガー本体における平面視での円弧の半径が、前記背もたれにおける平面視での円弧の半径よりも大きくなるように構成されている。
【００１８】
これらの構成に係るイスであれば、平面視でのハンガー本体と背もたれとの間に前後方向の隙間が形成されているだけでなく、この隙間が左右端部ほど広くなっているため、ハンガー本体に衣類を掛けるにあたって背もたれとの隙間に衣類を導きやすくなり、より衣類を掛ける際の利便性が高い。
【００１９】
また、ハンガー本体および背もたれを円弧状として一体的な外観を実現しつつ、それぞれの円弧としての半径を異ならせるだけで、衣類を掛ける際の利便性を高くすることができる。
【００２０】
また、上述した各構成については、さらに利便性を向上させるべく以下に示す第５の構成（請求項５）、より具体的には第６の構成（請求項６）のようにしてもよい。
【００２１】
第５の構成において、前記オフセット片は、正面視での前記ハンガー本体と前記背もたれとの間に上下方向の隙間が形成される位置まで前記ハンガー本体を上方にオフセットしており、前記ハンガー本体と前記背もたれとの上下方向の隙間は、それぞれ左右端部ほど広くなるように構成されている。
【００２２】
第６の構成において、前記ハンガー本体および前記背もたれは、左右端部へ向かうほど正面視での前記ハンガー本体の下端および前記背もたれの上端のうち一方が他方から離れる形状とされている。
【００２３】
これら構成に係るイスであれば、正面視でのハンガー本体と背もたれとの間に上下方向の隙間が形成されているだけでなく、この隙間が左右端部ほど広くなっているため、ハンガー本体に衣類を掛けるにあたって衣類と背もたれとが干渉しにくくなり、より一層、衣類を掛ける際の利便性が高い。
【００２４】
なお、上記各構成では、第７の構成（請求項７）のようにすることが考えられる。
【００２５】
第７の構成において、前記背もたれおよび前記ハンガー部材は、一体の部材として成形されている。
【００２６】
この構成であれば、背もたれの一部としてハンガー部材を設けることができるため、製造コストを大きく増やすことなく、ハンガー機能を有するイスを実現することができる。
【００２７】
上記課題を解決するため第８の構成（請求項８）は、スタッキング可能に構成されたイスにおける背もたれに、ハンガーとして機能させるべく設けられたハンガー部材であって、少なくとも正面視で前記背もたれの上方において該背もたれと重ならないオフセットされた位置に設けられている。
【００２８】
このように構成されたハンガー部材によれば、上記各構成におけるイスの一部を構成することができ、これら構成と同様の作用効果を得ることができる。
【図面の簡単な説明】
【００２９】
【図１】イスの全体を示す６面図（左側面図は省略）
【図２】六面図のうちの正面図のＡ−Ａ断面図
【図３】別の実施形態におけるイスの全体を示す６面図（左側面図は省略）
【図４】別の実施形態における六面図のうちの正面図のＡ−Ａ断面図
【図５】別の実施形態におけるイスの全体を示す６面図（左側面図、背面図、底面図は省略）
【図６】イスをスタッキングした状態を示す側面図
【発明を実施するための形態】
【００３０】
以下に、本発明を実施するための形態を図と共に説明する。
（１）構成
イス１は、図１に示すように、座体１０と、背もたれ２０と、座体１０及び背もたれ２０を左右それぞれの端部側で支持する一対の脚部材３０，４０と、ハンガーとして機能するハンガー部材５０と、を備えており、同一のイス１を上下方向に積重ねて収納（いわゆるスタッキング）可能なスタッキングチェアーである。
【００３１】
なお、本実施形態においては、背もたれ２０とハンガー部材５０とが樹脂材料による一体成型品であるが、ハンガー部材５０を別部材として設けた構成としてもよい。
【００３２】
座体１０は、平面視で四角形の板状に形成され、その後端部から前端部に向かう上り勾配の傾斜面となっており（右側面図参照）、また、その前端部および後端部はそれぞれ下方向に垂れ下がる垂下片となっている。この座体１０は、左右それぞれの端部側が、脚部材３０，４０の上端から前後方向に延びる前後フレーム１３，１５に支持され、後端側が、脚部材３０，４０を上端側において左右方向に連結する左右フレーム１７に支持された構成とされている（図１の底面図、図２参照）。
【００３３】
背もたれ２０は、板状の部材を、平面視で後方に向けて凸となる円弧状、および、側面視で前方に向けて凸となる円弧状とすることにより、全体として着席者の背中に沿うような形状とされている。この背もたれ２０は、座体１０の上方において脚部材３０，４０に支持されており、これにより、座体１０の後端および背もたれ２０の下端に囲まれた横長の空間が形成されている。
【００３４】
脚部材３０，４０は、それぞれ前後に間隔を空けて配置された前脚３１，４１と後脚３３，４３とが、その下端において前後架橋部３５，４５により連結され、この前脚３１，４１それぞれが、上端側において左右架橋部３９により連結された構成とされている。また、後脚３３，４３上端から上方に向けて支持部３７，４７が延出しており、この支持部３７，４７が背もたれ２０を支持している。
【００３５】
本実施形態において、脚部材３０，４０は、支持部３７，４７、後脚３３，４３、前後架橋部３５，４５および前脚３１，４１だけでなく、前後フレーム１３，１５までを、一本のパイプの曲げ加工により形成されている。
【００３６】
なお、脚部材３０，４０は、それぞれの間隔が前脚３１，４１側よりも、後脚３３，４３側において左右に広く形成され、これにより、同一形状のイス１を上下方向に積重ねられるように構成している。
【００３７】
ハンガー部材５０は、背もたれ２０上端から後方に向けて延出するオフセット片５１と、オフセット片５１の上方において左右方向に拡がるハンガー本体５３と、を備えている。
【００３８】
これらのうち、オフセット片５１は、平面視でのハンガー本体５３と背もたれ２０との間に前後方向の隙間が形成される位置までハンガー本体５３を後方にオフセットし、また、正面視でのハンガー本体５３と背もたれ２０との間に上下方向の隙間が形成される位置までハンガー本体５３を上方にオフセットしており、これにより、ハンガー本体５３が、正面視で背もたれ２０の上方および平面視で背もたれ２０の後方それぞれにおいて背もたれ２０と重ならない位置関係となっている。
【００３９】
ここで、ハンガー本体５３と背もたれ２０との前後方向の隙間は、それぞれ左右端部ほど広くなるように構成されている。本実施形態では、ハンガー本体５３および背もたれ２０が、それぞれ平面視で後方に向けて凸となる円弧状に形成されており、ハンガー本体５３における平面視での円弧の半径を、背もたれ２０における平面視での円弧の半径よりも大きく構成することによって、ハンガー本体５３と背もたれ２０との前後方向の隙間をそれぞれ左右端部ほど広くしている。
【００４０】
また、ハンガー本体５３と背もたれ２０との上下方向の隙間についても、それぞれ左右端部ほど広くなるように構成されている。本実施形態では、ハンガー本体５３および背もたれ２０が、左右端部へ向かうほど正面視でのハンガー本体５３の下端および背もたれ２０の上端のうち一方が他方から離れるよう、ハンガー本体５３の下端を左右端部へ向かうほど上方へ向かう曲線状とし、また、背もたれ２０の上端を左右端部へ向かうほど下方へ向かう曲線状としており、これにより、ハンガー本体５３と背もたれ２０との上下方向の隙間をそれぞれ左右端部ほど広くしている。
【００４１】
なお、ハンガー本体５３および背もたれ２０は、上下方向の隙間をそれぞれ左右端部ほど広くすることができればよく、ハンガー本体５３の下端および背もたれ２０の上端の少なくともいずれか一方のみを曲線状としてもよいし、それぞれ直線の組合せにより隙間が広くなるようにしてもよい。
【００４２】
また、このハンガー本体５３には、その上面が一定の前後幅をもって左右方向全域に拡がる帯状領域となっており、この領域がハンガー本体５３に掛けられた衣類を安定的に保持できるようにしている。
（２）変形例
以上、本発明の実施の形態について説明したが、本発明は、上記実施形態に何ら限定されることはなく、本発明の技術的範囲に属する限り種々の形態をとり得ることはいうまでもない。
【００４３】
例えば、図３，図４に示すイス２のように、ハンガー部材５０のハンガー本体５３は、前後方向に貫通する貫通孔５５をその中央領域に設けることで、この貫通孔５５周辺を、イス２の使用時における取っ手として機能させることもできる。
【００４４】
また、上記実施形態において、ハンガー部材５０は、オフセット片５１を背もたれ２０上端から後方に向けて延出させることにより、ハンガー本体５３が背もたれ２０の上方および後方それぞれにおいて背もたれ２０と重ならないオフセットされた位置に設けられている。しかし、ハンガー部材５０は、オフセット片５１を背もたれ２０上端から後方に向けて延出させることなく、例えば、図５に示すように、ハンガー本体５３を、オフセット片５１の上方において左右方向に拡がるとともに、この左右方向の端部側それぞれが背もたれ２０との間に平面視で前後方向の隙間を形成するようにし、これにより、ハンガー本体５３を背もたれ２０の上方および後方それぞれにおいて背もたれ２０と重ならないオフセットされた位置に設けてもよい。
（３）作用，効果
このように構成されたイス１，２であれば、ハンガー部材５０が背もたれ２０に対して上方および後方それぞれにオフセットされており、スタッキング状態で隣接するイス１，２の背もたれにハンガー部材５０が接触することはないため（図６参照）、隣接するイス１，２の背もたれ２０との間を狭めたスタッキングを実現することができ、これにより、スタッキング状態におけるコンパクト化が実現できる。
【００４５】
ここで、複数のイス１，２をスタッキングするに際しては、下層のイスから上層のイスに向けて順に前方および上方へと一定間隔（スタッキングピッチ）だけズレながら重なることになるが、各イス１，２のハンガー部材５０は、背もたれ２０の上方および後方の領域において同様に重なるため、これがスタッキングの妨げになることはない。
【００４６】
さらに、ハンガー本体５３が背もたれ２０の上方および後方にオフセットされており、このハンガー本体５３に衣類を掛ける際に衣類が背もたれに接触しにくいため、ハンガーとしての利便性が高い。
【００４７】
また、上記構成に係るイス１，２であれば、ハンガー本体５３をオフセット片５１でオフセットさせることにより、正面視で背もたれ２０の上方および平面視で背もたれ２０の後方それぞれにおいて、ハンガー本体５３が背もたれと重ならない位置関係とすることができる。
【００４８】
また、上記イス１，２は、平面視でのハンガー本体５３と背もたれ２０との間に前後方向の隙間が形成されているだけでなく、この隙間が左右端部ほど広くなっているため、ハンガー本体５３に衣類を掛けるにあたって背もたれとの隙間に衣類を導きやすくなり、より衣類を掛ける際の利便性が高い。
【００４９】
特に、ハンガー本体５３および背もたれ２０を円弧状として一体的な外観を実現しつつ、それぞれの円弧としての半径を異ならせるだけで、衣類を掛ける際の利便性を高くすることができる。
【００５０】
また、上記イス１，２は、正面視でのハンガー本体５３と背もたれとの間に上下方向の隙間が形成されているだけでなく、この隙間が左右端部ほど広くなっているため、ハンガー本体５３に衣類を掛けるにあたって衣類と背もたれ２０とが干渉しにくくなり、より一層、衣類を掛ける際の利便性が高い。
【００５１】
また、上記実施形態において、背もたれ２０とハンガー部材５０とを樹脂材料による一体成型品とした場合には、背もたれ２０の一部としてハンガー部材５０を設けることができるため、製造コストを大きく増やすことなく、ハンガー機能を有するイス１，２を実現することができる。
【符号の説明】
【００５２】
１…イス、２…イス、１０…座体、１３…前後フレーム、１７…左右フレーム、２０…背もたれ、３０…脚部材、３１…前脚、３３…後脚、３５…前後架橋部、３７…支持部、３９…左右架橋部、４０…脚部材、４１…前脚、４３…後脚、４５…前後架橋部、４７…支持部、５０…ハンガー部材、５１…オフセット片、５３…ハンガー本体、５５…貫通孔。
【図１】
2015198775.tif 000003
【図２】
2015198775.tif 000004
【図３】
2015198775.tif 000005
【図４】
2015198775.tif 000006
【図５】
2015198775.tif 000007
【図６】
2015198775.tif 000008